(57)【要約】【課題】ポールの側部の任意箇所に取り付けることができ、デザインの自由度が良くなるようにする。【解決手段】ポールＰの側部に取り付けられる位置決め金具１と、この位置決め金具１に取り付けられる複数のカバー２，３とにより構成した。位置決め金具１は、ポールＰの側部に当接する湾曲板部１１を有する形状にそれぞれ形成される複数の金属部材１０により構成され、金属部材１０に被係止部としての挿通孔１２ａが設けられ、この挿通孔１２ａに係止する係止部としてのボルトＢ３が複数のカバー２，３のカバー２側に設けられ、ポールＰの側部に位置決め金具１を着脱自在に圧着させて固定し、挿通孔１２ａにボルトＢ３を係止することによりポールＰに取り付けられるようにした。【選択図】  図１
2004150208.tif 000002
【特許請求の範囲】
【請求項１】
ポールの側部に取り付けられる位置決め金具と、この位置決め金具に取り付けられる複数のカバーとにより構成される省施工型ポール化粧カバーであって、前記位置決め金具は、前記ポールの側部に当接する湾曲板部を有する形状にそれぞれ形成される複数の部材により構成され、これら複数の部材の少なくとも１つに被係止部が設けられ、この被係止部に係止する係止部が前記複数のカバー側に設けられ、前記ポールの側部に前記位置決め金具を着脱自在に圧着させて固定し、前記被係止部に前記係止部を係止することにより前記ポールに取り付けられることを特徴とする省施工型ポール化粧カバー。
【請求項２】
前記位置決め金具を構成する複数の部材の各々は、前記湾曲板部と、この湾曲板部における前記ポールの軸方向側の一の縁部から立設されるフランジ部とを有する形状に形成され、前記フランジ部に前記被係止部が形成されていることを特徴とする請求項１記載の省施工型ポール化粧カバー。
【請求項３】
前記被係止部は孔部であり、前記係止部はボルトであることを特徴とする請求項１または２記載の省施工型ポール化粧カバー。
【請求項４】
前記複数のカバーは、前記ポールの側部を間に挟んで対向配置される２つの係止カバーと、これら２つの係止カバー間を閉塞するように前記ポールの側部を間に挟んで対向配置される２つの化粧カバーとにより構成され、前記２つの係止カバー側に、前記係止部が設けられているとともに、前記２つの化粧カバーを固定するための固定部が設けられていることを特徴とする請求項１から３のいずれかに記載の省施工型ポール化粧カバー。
【請求項５】
前記固定部は、Ｃ字状のレールと、このレールのＣ字状の内部に収容される、ねじ孔を有するプレートとにより構成され、前記レールは、自己のＣ字状の内部に遊びをもって前記プレートを収容することを特徴とする請求項４記載の省施工型ポール化粧カバー。
【発明の詳細な説明】
【０００１】
【発明の属する技術分野】
本発明は、ポールの側部に取り付けられる位置決め金具と、この位置決め金具に取り付けられる複数のカバーとにより構成される省施工型ポール化粧カバーに関するものである。
【０００２】
【従来の技術】
図１０は従来のポール化粧カバーを示す斜視図であり、この従来のポール化粧カバーは、後施工専用の地面据置型であり、ポールＰの側部に取り付けられる２つの部材２ＰＡにより構成されている。
【０００３】
なお、特開平７−２２９１１５号公報（特許文献１）には、道路標識を取付ける支柱の径の大小に関わらず、１つの支持部材で確実に補助標識を支柱に取付けることができるようにし、その構造は簡単で安価に量産できる道路標識補助鈑の取付装置が記載されている。
【０００４】
【特許文献１】
特開平７−２２９１１５号公報
【０００５】
【発明が解決しようとする課題】
しかしながら、図１０の従来のポール化粧カバーでは、デザインの自由度に難点があるほか、ポールの側部の任意箇所に取り付けることができない。また、現地省工対応のみであり、工場での組立てができない。
【０００６】
本発明は、上記事情に鑑みてなされたものであり、ポールの側部の任意箇所に取り付けることができ、デザインの自由度が良くなる省施工型ポール化粧カバーを提供することを目的とする。
【０００７】
【課題を解決するための手段】
上記課題を解決するための請求項１記載の発明は、ポールの側部に取り付けられる位置決め金具と、この位置決め金具に取り付けられる複数のカバーとにより構成される省施工型ポール化粧カバーであって、前記位置決め金具は、前記ポールの側部に当接する湾曲板部を有する形状にそれぞれ形成される複数の部材により構成され、これら複数の部材の少なくとも１つに被係止部が設けられ、この被係止部に係止する係止部が前記複数のカバー側に設けられ、前記ポールの側部に前記位置決め金具を着脱自在に圧着させて固定し、前記被係止部に前記係止部を係止することにより前記ポールに取り付けられることを特徴とする。
【０００８】
請求項２記載の発明は、請求項１記載の省施工型ポール化粧カバーにおいて、前記位置決め金具を構成する複数の部材の各々は、前記湾曲板部と、この湾曲板部における前記ポールの軸方向側の一の縁部から立設されるフランジ部とを有する形状に形成され、前記フランジ部に前記被係止部が形成されていることを特徴とする。
【０００９】
請求項３記載の発明は、請求項１または２記載の省施工型ポール化粧カバーにおいて、前記被係止部は孔部であり、前記係止部はボルトであることを特徴とする。
【００１０】
請求項４記載の発明は、請求項１から３のいずれかに記載の省施工型ポール化粧カバーにおいて、前記複数のカバーは、前記ポールの側部を間に挟んで対向配置される２つの係止カバーと、これら２つの係止カバー間を閉塞するように前記ポールの側部を間に挟んで対向配置される２つの化粧カバーとにより構成され、前記２つの係止カバー側に、前記係止部が設けられているとともに、前記２つの化粧カバーを固定するための固定部が設けられていることを特徴とする。
【００１１】
請求項５記載の発明は、請求項４記載の省施工型ポール化粧カバーにおいて、前記固定部は、Ｃ字状のレールと、このレールのＣ字状の内部に収容される、ねじ孔を有するプレートとにより構成され、前記レールは、自己のＣ字状の内部に遊びをもって前記プレートを収容することを特徴とする。
【００１２】
【発明の実施の形態】
図１は本発明による一実施形態の省施工型ポール化粧カバーを示す模式的斜視図、図２は同省施工型ポール化粧カバーの位置決め金具および係止カバーをポールに取り付けた様子を示す図、図３は図２の係止カバーに化粧カバーを取り付ける様子を示す図、図４は係止カバーへの化粧カバーの取付部分の拡大図、図５は同省施工型ポール化粧カバーの詳細図、図６は同省施工型ポール化粧カバーとポールとを示す詳細図である。
【００１３】
本実施形態の省施工型ポール化粧カバーは、図１〜図６に示すように、ポールＰの側部に取り付けられる位置決め金具１と、この位置決め金具１に取り付けられる複数のカバー２，３とにより構成されている。
【００１４】
位置決め金具１は一対の金属部材１０により構成され、これら金属部材１０の各々は、特に図１（ｂ）に示すように、湾曲板部１１と、フランジ部１２と、一対の補強板部１３とを一体に有する形状に形成されている。湾曲板部１１は、ポールＰの半径方向に突出しボルトの足部挿通用の挿通孔１１０ａが穿設されたフランジ部１１０を両端に有し、これらの中央部がポールＰの側部に当接する湾曲形状になっている。フランジ部１２は、湾曲板部１１におけるポールＰの軸方向側の一の縁部から（例えば溶接などで一体に）立設され、両端にボルトの足部挿通用の挿通孔１２ａが被係止部として穿設されている。そして、補強板部１３は、（例えば溶接などで）湾曲板部１１の外周面から突設されてフランジ部１２に連設されている。
【００１５】
カバー２，３は、ともにアルミ押出材であり、特に図５に示すように、ポールＰの側部を間に挟んで対向配置される２つのカバー（係止カバー）２と、これら２つのカバー２間を閉塞するようにポールＰの側部を間に挟んで対向配置される２つのカバー（化粧カバー）３とにより構成されている。
【００１６】
カバー２は、断面弓状に形成され、外面２ａに複数の突条部２１が形成されている一方、内面２ｂの中寄りに一対のバンド固定部２２が設けられ、これらバンド固定部２２の両側に固定部２３がそれぞれ設けられている。
【００１７】
各バンド固定部２２は、ボルトＢ１の頭部を収容しその足部をポールＰ側に突出させる断面Ｃ字状（図１（ａ）の例ではレール状）に形成され、バンド金具２０がボルトＢ１およびナットＮ１の締結によって一体的に取着されている。バンド金具２０は、特に図１に示すように、ポールＰ側に開口する箱状に形成され、ポールＰの軸方向と直交する側面部２０１，２０２の縁部にポールＰの側面部と当接する凹部２０１ａ，２０２ａを有する一方、ポールＰの軸方向に沿う側面部２０３，２０４の縁部に外向きのフランジ部２０５，２０６を有する構造になっており、複数組み設けられる（図２，図６（ｂ）参照）。また、側面部（下側面部）２０２にはボルトＢ３の足部挿通用の孔２０２ａ（図５参照）が一対穿設され、それらの孔２０２ａに、上記被係止部としての挿通孔１２ａに係止する係止部としてのボルトＢ３の足部が挿通されている。フランジ部２０５，２０６にはボルトＢ２の足部挿通用の挿通孔２０５ａ，２０６ａがそれぞれ一対穿設されている。ここに、一対のカバー２の各バンド固定部２２に取着された両バンド金具２０は、特に図５に示すように、互いにフランジ部２０５とフランジ部２０６とを対向させてナットＮ２およびボルトＢ２の締結によって連結される。なお、ボルトＢ２は側面部２０２に固着するようにしてもよい。
【００１８】
カバー２の内面２ｂに設けられた一対の固定部２３は、各外側面側に形成されたＣ字状のレール２３０と、このレール２３０のＣ字状の内部に収容される、ねじ孔を有するプレート２３１とにより構成され、各レール２３０は、自己のＣ字状の内部に遊びをもってプレート２３１を収容する寸法に設定されている（特に図４参照）。
【００１９】
カバー３は、平板状に形成され、上記プレート２３１のねじ孔に対応する位置にねじＳ１の足部挿通用の挿通孔３ａが穿設されている。
【００２０】
図７はポールに位置決め金具を装着した様子を示す図、図８は図７の状態からカバー（係止カバー）を取り付けた様子を示す図、図９は図８の状態からカバー（化粧カバー）を取り付けた様子を示す図であり、これらの図をさらに用いて本実施形態の省施工型ポール化粧カバーの取付手順の一例について説明する。ただし、図７〜図８は、工場での先付けの場合の取付手順を示す。
【００２１】
まず、図７に示すように、一対の金属部材１０の各湾曲板部１１をポールＰの側部（先付けのため、確定位置）に填め込み、続いて各湾曲板部１１のフランジ部１１０における挿通孔１１０ａにボルトＢ０（図８参照）の足部を挿通し、それらの各ボルトＢ０の足部にナットＮ０を螺着することにより（図８の例では両金属部材１０の湾曲板部１１におけるフランジ部１１０間にワッシャを介設してある）、位置決め金具１をポールＰの側部に圧着させて固定する。このとき、位置決め金具１の各フランジ部１２がポールＰの上側に位置するようにする。
【００２２】
この後、位置決め金具１の各フランジ部１２における挿通孔１２ａに、各カバー２のバンド金具２０における両ボルトＢ３の足部を挿通し、図８に示すように、それらの各ボルトＢ３の足部にナットＮ３を螺着することにより、位置決め金具１に各カバー２のバンド金具２０を固定する。また、両バンド金具２０を、互いにフランジ部２０５とフランジ部２０６とを対向させてボルトＢ２およびナットＮ２の締結によって連結する。この後、図２，図６（ｂ）に示したように、残りの組みの両バンド金具２０も同様にボルトＢ２およびナットＮ２を用いて連結する。
【００２３】
この後、図５に示すように、各カバー３を傾けながら各カバー２間を閉塞するように配置し、各カバー３の挿通孔３ａと各カバー２のプレート２３１におけるねじ孔とを位置合わせした上で、ねじＳ１を用いて各カバー３を各カバー２にねじ止めする。これにより、図９に示すように組み上がった状態となる。
【００２４】
以上、本実施形態によれば、省施工型ポール化粧カバーをポールＰの側部の任意箇所に取り付けることができ、デザインの自由度が良くなる。カバー２，３が着脱自在であるので、例えばイベントや季節に応じた色ないし模様のカバーに変更が容易となり、デザイン性の要求の高い街並みに好適である。位置決め金具が仮止め構造を兼用することで、組立工数が減り、省施工である。
【００２５】
特に、位置決め金具１がポールＰの側部に着脱自在に圧着されて固定されるので、例えば、後付けの設置時に周辺の風景に合わせて同じポールＰに対して取付位置を変更したり、近辺の別のポールに移設したり、あるいは一時的に全てを取り外したりしても、取付けのための孔がポールの側部に残らないので、ポール自体の美観を損なうことがない格別な効果を奏する。ただし、本発明は、位置決め金具をポールにボルトまたはねじなどで固定することを禁止するものではなく、例えば、取付けのための孔がポールに残っても問題のない用途などにおいては、位置決め金具の湾曲板部に挿通孔（図１参照）を予め穿設しておき、湾曲板部のその挿通孔にボルトまたはねじなどを挿通して固定しても構わない。
【００２６】
また、金属部材１０が、湾曲板部１１と、フランジ部１２と、一対の補強板部１３とを一体に有する形状に形成され、フランジ部１２に被係止部としての挿通孔１２ａが形成されているので、例えば、後付け施工の際、位置決め金具１のフランジ部１２を鉛直上方に向けて、その位置決め金具１をポールＰの側部に圧着して固定しておけば、カバー２側の係止部としてのボルトＢ３周辺を位置決め金具１のフランジ部１２に載せ置くように、カバー２側のボルトＢ３を位置決め金具１のフランジ部１２の挿通孔１２ａに係止することができるので、施工性が良くなる。また、フランジ部１２によりカバー２側のボルトＢ３がポールＰの側部から離隔することになり、係止時にポールＰの側部を傷つけないようにすることが可能となる。
【００２７】
また、係止カバーとしてのカバー２側のバンド金具２０に、係止部としてのボルトＢ３が設けられているとともに、化粧カバーとしてのカバー３を固定するための固定部２３が設けられているので、カバー３をカバー２に固定することにより位置決め金具１に取り付けることができる。
【００２８】
さらに、固定部２３が、Ｃ字状のレール２３０と、このレール２３０のＣ字状の内部に収容される、ねじ孔を有するプレート２３１とにより構成され、レール２３０が、自己のＣ字状の内部に遊びをもってプレート２３１を収容するので、製造上の誤差を吸収することができる。
【００２９】
なお、本実施形態では、カバーがそれぞれ２枚のカバー２，３によりなる構成になっているが、これに限らず、２，３枚や５枚以上のカバーによりなる構成でもよい。要するに、本発明は、位置決め金具と、この位置決め金具に取り付けられる複数のカバーとにより構成されるものであればよい。
【００３０】
【発明の効果】
以上のことから明らかなように、請求項１記載の発明は、ポールの側部に取り付けられる位置決め金具と、この位置決め金具に取り付けられる複数のカバーとにより構成される省施工型ポール化粧カバーであって、前記位置決め金具は、前記ポールの側部に当接する湾曲板部を有する形状にそれぞれ形成される複数の部材により構成され、これら複数の部材の少なくとも１つに被係止部が設けられ、この被係止部に係止する係止部が前記複数のカバー側に設けられ、前記ポールの側部に前記位置決め金具を着脱自在に圧着させて固定し、前記被係止部に前記係止部を係止することにより前記ポールに取り付けられるので、ポールの側部の任意箇所に取り付けることができ、デザインの自由度が良くなる。しかも、位置決め金具がポールの側部に着脱自在に圧着されて固定されるので、例えば、後付けの設置時に周辺の風景に合わせて同じポールに対して取付位置を変更したり、近辺の別のポールに移設したり、あるいは一時的に全てを取り外したりしても、取付けのための孔がポールの側部に残らないので、ポール自体の美観を損なうことがない格別な効果を奏する。
【００３１】
請求項２記載の発明は、請求項１記載の省施工型ポール化粧カバーにおいて、前記位置決め金具を構成する複数の部材の各々は、前記湾曲板部と、この湾曲板部における前記ポールの軸方向側の一の縁部から立設されるフランジ部とを有する形状に形成され、前記フランジ部に前記被係止部が形成されているので、例えば、後付け施工の際、位置決め金具の上記フランジ部を鉛直上方に向けて、その位置決め金具をポールの側部の所望箇所に圧着して固定しておけば、カバー側の係止部周辺を位置決め金具の上記フランジ部に載せ置くように、カバー側の係止部を位置決め金具の上記フランジ部の被係止部に係止することができるので、施工性が良くなり、またフランジ部によりカバー側の係止部がポールの側部から離隔することになり、係止時にポールの側部を傷つけないようにすることが可能となる。
【００３２】
請求項３記載の発明は、請求項１または２記載の省施工型ポール化粧カバーにおいて、前記被係止部は孔部であり、前記係止部はボルトであり、この構成でも、ポールの側部の任意箇所に取り付けることができ、デザインの自由度が良くなる。
【００３３】
請求項４記載の発明は、請求項１から３のいずれかに記載の省施工型ポール化粧カバーにおいて、前記複数のカバーは、前記ポールの側部を間に挟んで対向配置される２つの係止カバーと、これら２つの係止カバー間を閉塞するように前記ポールの側部を間に挟んで対向配置される２つの化粧カバーとにより構成され、前記２つの係止カバー側に、前記係止部が設けられているとともに、前記２つの化粧カバーを固定するための固定部が設けられているので、化粧カバーを係止カバーに固定することにより位置決め金具に取り付けることができる。
【００３４】
請求項５記載の発明は、請求項４記載の省施工型ポール化粧カバーにおいて、前記固定部は、Ｃ字状のレールと、このレールのＣ字状の内部に収容される、ねじ孔を有するプレートとにより構成され、前記レールは、自己のＣ字状の内部に遊びをもって前記プレートを収容するので、誤差を吸収することができる。
【図面の簡単な説明】
【図１】本発明による一実施形態の省施工型ポール化粧カバーを示す模式的斜視図である。
【図２】同省施工型ポール化粧カバーの位置決め金具および係止カバーをポールに取り付けた様子を示す図である。
【図３】図２の係止カバーに化粧カバーを取り付ける様子を示す図である。
【図４】係止カバーへの化粧カバーの取付部分の拡大図である。
【図５】同省施工型ポール化粧カバーの詳細図である。
【図６】同省施工型ポール化粧カバーとポールとを示す詳細図である。
【図７】ポールに位置決め金具を装着した様子を示す図である。
【図８】図７の状態からカバー（係止カバー）を取り付けた様子を示す図である。
【図９】図８の状態からカバー（化粧カバー）を取り付けた様子を示す図である。
【図１０】従来のポール化粧カバーを示す斜視図である。
【符号の説明】
１  位置決め金具
１０  金属部材
１１  湾曲板部
１２  フランジ部
１２ａ  挿通孔（被係止部）
１３  補強板部
２  カバー（係止カバー）
２０  バンド金具
Ｂ２  ボルト（係止部）
２１  突条部
２２  バンド固定部
２３  固定部
２３０  レール
２３１  プレート
３  カバー（化粧カバー）
【図１】
2004150208.tif 000003
【図２】
2004150208.tif 000004
【図３】
2004150208.tif 000005
【図４】
2004150208.tif 000006
【図５】
2004150208.tif 000007
【図６】
2004150208.tif 000008
【図７】
2004150208.tif 000009
【図８】
2004150208.tif 000010
【図９】
2004150208.tif 000011
【図１０】
2004150208.tif 000012